(57)【要約】      （修正有）【課題】既設の蛇口に節水具を取り付けることができ、さらに水の供給を止めることなく設置作業を行うことができ、かつ簡単な構造で安価な蛇口用節水具を提供する。【解決手段】蛇口１の操作ハンドル軸２の大径部６とパッキング板１０の間に装着され、ハンドル軸２の移動量を制限することによって蛇口のコマ５の開口量を制限するようにしたもので、これによって不用意に多量の水を出すことがないようにした。【選択図】図１
0003142842.tif 000002
【実用新案登録請求の範囲】
【請求項１】
蛇口の操作ハンドル軸に装着され、ハンドル軸の移動量を制限することによって蛇口のコマの開口量を制限する移動制限するようにした蛇口用節水具。
【請求項２】
ハンドル軸に装着される円筒状である請求項１記載の蛇口用節水具。
【請求項３】
アルミニウムの円筒よりなる請求項２記載の蛇口用節水具。
【請求項４】
蛇口を閉鎖した状態で、ハンドルと上部蓋を取り外し、ハンドル軸に蛇口節水具を挿入した後、上部蓋とハンドルとを取り付けるようにした蛇口用節水具の取り付け方法。
【考案の詳細な説明】
【技術分野】
【０００１】  本考案は蛇口用節水具に関するもので、特に水の遮断をすることなく既設の蛇口に取り付け可能なものを提供するとともに、容易な取り付け方法を提供するものである。
【背景技術】
【０００２】  近年、大都市への人口集中や生活様式の近代化に伴って都市の水使用量が増加傾向にあり、反対に水資源の枯渇が進行し水の節約は急務になってきた。このため多くの節水具が提案されている。【０００３】  このような蛇口用節水具は、できるだけ設置の容易なものの開発が求められている。このような技術として例えば特許文献１に開示されたものがある。
【特許文献１】登録実用新案３０３５７０９号公報
【特許文献２】登録実用新案３０４１１３８号公報
【考案の開示】
【考案が解決しようとする課題】
【０００４】  特許文献１に開示されたものは蛇口のハンドルの回転量を制限することによって大きく蛇口を開けることを防止し、水の吐出し量を制限したものである。このものでは、既設の蛇口に節水具を取り付けることができ、さらに水の供給を止めることなく設置作業を行うことができる。【０００５】  しかし特許文献１に記載のものは、特殊な形状のハンドルを準備する必要があり、どのような蛇口にでも適用できるものではないという問題がある。【０００６】  また部品数が多く価格が高くなるため、節水による経済的効果を発揮するのに時間がかかるという問題があり、普及には困難なものである。【０００７】  特許文献２に開示されたものは蛇口の出口に流体抵抗となる部材を取り付けるもので、これも既設の蛇口に節水具を取り付けることができ、さらに水の供給を止めることなく設置作業を行うことができる。【０００８】  しかし、これも構造が複雑であり、製造コストが掛かるため普及には時間が掛かり、節水効果による経済的効果が出難いという問題がある。【０００９】  本考案は既設の蛇口に節水具を取り付けることができ、さらに水の供給を止めることなく設置作業を行うことができ、かつ簡単な構造で安価な蛇口用節水具を提供しようとするものである。
【課題を解決するための手段】
【００１０】  本件考案は以上のような課題を解決するため、蛇口の操作ハンドルの軸に装着され、蛇口のコマの開口量を制限する移動制限を行うようにした。
【考案の効果】
【００１１】  本考案の蛇口用節水具は上記の如く構成したので、単に蛇口の操作ハンドルと上部蓋を外して、操作ハンドル軸に装着するだけであるので、極めて簡単に装着することができる。しかも水道の元栓を閉鎖することなく、他の水栓から水の供給を維持しながら取り付け工事を行うことができる。【００１２】  また本考案の蛇口用節水具は操作ハンドルの動作範囲を制限するだけであるので、円筒形の部材で実現することができ安価に提供することができる。
【考案を実施するための最良の形態】
【００１３】  本考案の請求項１に記載の考案は、蛇口の操作ハンドル軸に装着され、ハンドル軸の移動量を制限することによって蛇口のコマの開口量を制限する移動制限するようにしたものであり、操作ハンドルの移動距離が制限され、これによってコマの開口量が制限されるという作用を有する。
【実施例１】
【００１４】  以下本考案の蛇口用節水具の実施例について図に沿って詳細に説明する。１は蛇口本体であり、ハンドル軸２が螺合している。またハンドル軸２の上端にはハンドル３が螺子４で取り付けられている。ハンドル軸２の下端にはコマ５が挿入されている。【００１５】  さらにハンドル軸２は下端付近に大径部６が形成されている。この大径部６にコマ５の挿入穴が設けられ、また大径部６の外周に蛇口本体１と螺合するための螺子部７が形成されている。【００１６】  ８は上部蓋で蛇口本体１に螺合しており、この上部蓋８をハンドル軸２が貫通している。また上部蓋８の下にはグランドパッキング９が装着されている。このグランドパッキング９は蛇口本体１と上部蓋６との間の水密及びハンドル軸２と上部蓋８との間の水密を確保している。またグランドパッキング９の下には真鍮よりなるパッキング板１０が取り付けられている。【００１７】  １１は蛇口用節水具であり、アルミニウムの円筒である。この蛇口用節水具１１はハンドル軸２に装着されており、ハンドル軸２の大径部６とパッキング板１０との間に位置する。【００１８】  よって使用者がハンドル３を操作し、ハンドル軸２を上げるとコマ５も上昇して蛇口が開けられる。この時に、ある程度ハンドル軸２が上がると、図２に示すように大径部６とパッキング板１０の間に蛇口用節水具１１が挟まれた形になり、蛇口用節水具１１がハンドル軸２のそれ以上の上昇を制限する。【００１９】  つまりコマ５は大きく上昇することができず、蛇口から吐出される水の量が制限される。このようにして、蛇口用節水具１１の働きによって不用意に多量の水が蛇口より供給されることがなく、節水を期待することができる。【００２０】  特に本考案の蛇口用節水具１１はアルミニウム等の腐食に耐える材料よりなるパイプを切断して制作することができ、容易に量産することができる。また蛇口用節水具１１の長さを種々用意することによって、ハンドル軸２の上昇量を所望のものとすることができ、節水量も水の使用現場の事情に応じて設定することが容易に可能である。【００２１】  以上の例では蛇口用節水具１１としてアルミニウムを使用する例を示したが、これ以外にもステンレスや真鍮などの耐腐食性のある金属や、硬質塩化ビニールやスチロールなどの合成樹脂を使用してもよい。【００２２】  しかし、アルミニウムは適度な柔らかさを有しており、ハンドル３の操作感がよく、ハンドル軸２の大径部６とパッキング板１０を磨耗させることが少ない。【００２３】  以上、本考案の蛇口用節水具１１の構造と使用方法について説明したが、以下蛇口用節水具１１の蛇口本体１への装着方法について説明を行う。【００２４】  先ず図３に示すように蛇口本体１が閉鎖状態の時に、螺子４を緩めハンドル３をハンドル軸２から外す。【００２５】  次に図４に示すように上部蓋８をスパナなどで回して緩め、蛇口本体１から外す。この時に、グランドパッキング９は上部蓋８の裏側に付いた状態で外れる。またパッキング板１０を手で持ち上げて、ハンドル軸２から外す。【００２６】  そして図５に示すように、本考案の蛇口用節水具１１をハンドル軸２へ装着し、続いて図４の状態の逆操作でパッキング板１０をハンドル軸２へ装着���る。続いて上部蓋８を嵌め、スパナなどで蛇口本体１へ締め付ける。またハンドル３をハンドル軸２へ嵌め、螺子４を締め付けて、本考案の蛇口用節水具１１の取り付け工事を終了する。【００２７】  このように本考案の蛇口用節水具１１の取り付け方法によると水道の元栓を締めることなく、工事対象の蛇口以外の機器の動作を止めることなく、簡単に工事を行うことができる。さらに、特殊な工具なども必要でなくコマの交換と同様の操作で蛇口用節水具１１の取り付けを行うことができる。
【産業上の利用可能性】
【００２８】  本考案は、既設の蛇口に節水具を取り付けることができ、さらに水の供給を止めることなく設置作業を行うことができ、かつ簡単な構造の蛇口用節水具を提供する。
【図面の簡単な説明】
【００２９】
【図１】  本考案の蛇口用節水具の実施例を示す断面図である。
【図２】  本考案の蛇口用節水具の実施例を示す断面図である。
【図３】  本考案の蛇口用節水具の取り付け過程を示す側面図である。
【図４】  本考案の蛇口用節水具の取り付け過程を示す側面図である。
【図５】  本考案の蛇口用節水具の取り付け過程を示す側面図である。
【符号の説明】
【００３０】１  蛇口本体
２  ハンドル軸
３  ハンドル
４  螺子
５  コマ
６  大径部
７  螺子部
８  上部蓋
９  グランドパッキング
１０  パッキング板
１１  蛇口用節水具
【図１】
0003142842.tif 000003
【図２】
0003142842.tif 000004
【図３】
0003142842.tif 000005
【図４】
0003142842.tif 000006
【図５】
0003142842.tif 000007
【手続補正書】
【提出日】平成20年3月26日(2008.3.26)
【手続補正１】
【補正対象書類名】実用新案登録請求の範囲
【補正対象項目名】全文
【補正方法】変更
【補正の内容】
【実用新案登録請求の範囲】
【請求項１】
下端付近に大径部を有するハンドル軸と、前記大径部の挿入穴に挿入されるコマと、ハンドル軸の水密を確保するグランドパッキングと、その下に装着されるパッキング板とを有する蛇口に装着されるものであって、蛇口の操作ハンドル軸上の大径部とパッキング板との間に装着され、ハンドル軸が上昇した時にハンドル軸の大径部とパッキング板の間に挟まれてハンドル軸の移動量を制限する長さを有する筒である蛇口用節水具。
【請求項２】
筒はハンドル軸に装着される円筒状である請求項１記載の蛇口用節水具。
【請求項３】
筒はアルミニウムの円筒よりなる請求項２記載の蛇口用節水具。